(57)【要約】【課題】主子機または当該主子機に接続された副子機からの呼び出しが報知されるナースコール親機と主子機との間で通話用の子機を別途必要とせずに通話を成立させる【解決手段】主子機１ａ、１ｂ、・・・、２ａ、２ｂ、・・・、・・・の主子機コネクタ５０ａに接続させた副子機１１ａ、１１ｂ、・・・、１２ａ、１２ｂ、・・・、・・・からの呼び出しにより当該主子機の呼出回路が動作され、ナースコール親機４０にて呼出報知を行うことができ、通話用の子機を別途必要とせずに、主子機とナースコール親機との間で通話が成立する。また、プレート子機２１ａ、２１ｂ、・・・、２２ａ、２２ｂ、・・・、・・・のプレート子機コネクタ７０と主子機の主子機コネクタとが同一構造であることにより、副子機からナースコール親機への呼び出しを、主親機を必要とせずにプレート子機を介して行うことができる。【選択図】　図１
2004112017.tif 000002
【特許請求の範囲】
【請求項１】
病室内のベッド毎に設置され患者が看護師を呼び出して通話を成立させるための主子機（１ａ、１ｂ、・・・、２ａ、２ｂ、・・・、・・・）と、前記患者の音声、息、接触等により前記看護師を呼び出すための副子機（１１ａ、１１ｂ、・・・、１２ａ、１２ｂ、・・・、・・・）と、ナースステーション内に設置され前記主子機、前記副子機からの呼び出しを報知するための呼出報知機能を有するナースコール親機（４０）と、前記ナースコール親機を制御するための制御機（４１）とを備え、
前記主子機には、前記副子機からの呼び出しで呼出回路（８３）を動作させて前記ナースコール親機へ呼出報知するためのコネクタ（５０ａ）を設けたことを特徴とするナースコール装置。
【請求項２】
前記コネクタは、前記主子機または前記副子機が接続されるプレート子機（２１ａ、２１ｂ、・・・、２２ａ、２２ｂ、・・・、・・・）のコネクタ（７０）と同一構造を有することを特徴とする請求項１記載のナースコール装置。
【発明の詳細な説明】
【０００１】
【発明の属する技術分野】
本発明はナースコール装置に係り、特に、患者の音声、息、接触等による呼び出しを確認した看護師と当該患者との間で通話を成立させることができるナースコール装置に関する。
【０００２】
【従来の技術】
従来から、病室内のベッド毎に設置されるナースコール装置の機器として、図４の構成図に示すように、ベッド毎の患者がナースステーション内に居る看護師を呼び出すために使用する副子機１０１の本体よりケーブル接続されたプラグ１１０を、プレート子機１０２のコネクタ１２０に挿着させた機器が提案されている。
【０００３】
ここで、ナースステーション内に居る看護師を呼び出すために、副子機１０１が有する呼出機能として、音声の入力による呼び出し、息を吹きかけることによる呼び出し、接触による呼び出し等の呼出機能をベッド毎の患者が利用することにより、ナースステーション内に設置されたナースコール親機（図示せず）では呼出報知（呼出表示／発報）が行われる。また、ナースステーション内に居る看護師は、ナースコール親機にて行われた呼出報知（呼出表示／発報）を確認した後、呼出元の患者のベッドまで赴き、呼び出しに対して具体的に応答していた。（例えば、特許文献１参照）。
【０００４】
【特許文献１】実開昭６１−４２６９０号公報（第１頁、第１図（ィ）、（ロ））。
【０００５】
【発明が解決しようとする課題】
しかしながら、従来例のナースコール装置として病室内のベッド毎に設置される機器のうち、副子機１０１には、音声の入力による呼び出しを行うためのマイク（図示せず）が備えられているが、このマイクを利用してナースステーション内に居る看護師との間で通話を成立させるための音声を入力することはできず、通話を成立させるための音声を入力するためには、図４の構成図に示すような通話用のハンド子機１０３を別途設ける必要があることに加えて、このハンド子機１０３のプラグの構造と副子機１０１の本体よりケーブル接続されたプラグ１１０の構造とが異なる、例えば、ピン数が異なることにより、ハンド子機１０３のプラグを挿着できるコネクタを有するプレート子機１０４を別途設ける必要があった。
【０００６】
本発明は、上述の難点を解消するためになされたもので、主子機または当該主子機に接続された副子機からの呼び出しが報知されるナースコール親機と主子機との間で通話用の子機を別途必要とせずに通話を成立させることができるナースコール装置を提供することを目的としている。
【０００７】
【課題を解決するための手段】
上述の目的を達成するため、本発明のナースコール装置は、病室内のベッド毎に設置され患者が看護師を呼び出して通話を成立させるための主子機と、患者の音声、息、接触等により看護師を呼び出すための副子機と、ナースステーション内に設置され主子機、副子機からの呼び出しを報知するための呼出報知機能を有するナースコール親機と、ナースコール親機を制御するための制御機とを備えている。主子機には、副子機からの呼び出しで呼出回路を動作させてナースコール親機へ呼出報知するためのコネクタを設けている。
【０００８】
このようなナースコール装置によれば、主子機のコネクタに接続させた副子機からの呼び出しにより当該主子機の呼出回路が動作され、ナースコール親機にて呼出報知を行うことができ、通話用の子機を別途必要とせずに、主子機とナースコール親機との間で通話が成立する。
【０００９】
また、本発明のナースコール装置において、コネクタは、主子機または副子機が接続されるプレート子機のコネクタと同一構造を有する。
【００１０】
このようなナースコール装置によれば、プレート子機のコネクタと主子機のコネクタとが同一構造であることにより、副子機からナースコール親機への呼び出しを、主子機を必要とせずにプレート子機を介して行うことができる。
【００１１】
【発明の実施の形態】
以下、本発明のナースコール装置を適用した好ましい形態の実施例について、図面を参照して説明する。
【００１２】
図１は、本発明の実施例によるナースコール装置を示す全体構成図である。
【００１３】
図１の全体構成図に示すナースコール装置は、病室内のベッド毎、ここでは、１０１号室内、１０２号室内、・・・でベッド番号が「１」、「２」、・・・、「１」、「２」、・・・、・・・のようにそれぞれ割り当てられたベッド毎に設置されており、ベッド毎の患者が看護師、例えば、ナースステーション内に居る看護師を呼び出して通話を成立させるための主子機１ａ、１ｂ、・・・、２ａ、２ｂ、・・・、・・・と、主子機１ａ、１ｂ、・・・、２ａ、２ｂ、・・・、・・・と同様、病室内のベッド毎に設置されており、ベッド毎の患者が音声、息、接触等により上述の看護師を呼び出すための副子機１１ａ、１１ｂ、・・・、１２ａ、１２ｂ、・・・、・・・と、通常、病室内のベッド毎の壁面に設置されており、主子機１ａ、１ｂ、・・・、２ａ、２ｂ、・・・、・・・、または副子機１１ａ、１１ｂ、・・・、１２ａ、１２ｂ、・・・、・・・が接続され、ベッド毎の患者が上述の看護師との間で通話を成立させるためのプレート子機２１ａ、２１ｂ、・・・、２２ａ、２２ｂ、・・・、・・・と、各病室の出入口近傍に設置されており、プレート子機接続ラインＬ１ａ、Ｌ１ｂ、・・・、Ｌ２ａ、Ｌ２ｂ、・・・を介して接続された主子機１ａ、１ｂ、・・・、２ａ、２ｂ、・・・、・・・からの呼び出し、またはプレート子機接続ラインＬ１ａ、Ｌ１ｂ、・・・、Ｌ２ａ、Ｌ２ｂ、・・・、・・・、主子機１ａ、１ｂ、・・・、２ａ、２ｂ、・・・、・・・を介して副子機１１ａ、１１ｂ、・・・、１２ａ、１２ｂ、・・・、・・・からの呼び出しをそれぞれを検出し、その旨の呼出表示を行うための廊下灯３１、３２、・・・と、ナースステーション内に設置されており、主子機１ａ、１ｂ、・・・、２ａ、２ｂ、・・・、・・・、または副子機１１ａ、１１ｂ、・・・、１２ａ、１２ｂ、・・・、・・・からの呼び出しがある旨を呼出報知（呼出表示／発報）するとともに、この呼び出しを確認した看護師が呼出元の患者との間で通話を成立させるためのナースコール親機４０と、廊下灯接続ラインＬ１０上に接続、例えば、渡り配線接続された廊下灯３１、３２、・・・、親機接続ラインＬ１１を介して接続されたナースコール親機４０をそれぞれ制御するための制御機４１とで構成されている。
【００１４】
図２は、本発明の実施例によるナースコール装置において、病室内のベッド毎に設置される機器の接続状態を示す構成図である。
【００１５】
図２の構成図において、主子機１ａ、１ｂ、・・・、２ａ、２ｂ、・・・、・・・よりケーブル接続されたコネクタ（以下、主子機コネクタという。）５０ａには、副子機１１ａ、１１ｂ、・・・、１２ａ、１２ｂ、・・・、・・・の本体よりケーブル接続されたプラグ（以下、副子機プラグという。）６０を挿着することができる。また、プレート子機２１ａ、２１ｂ、・・・、２２ａ、２２ｂ、・・・、・・・のコネクタ（以下、プレート子機コネクタという。）７０には、主子機１ａ、１ｂ、・・・、２ａ、２ｂ、・・・、・・・よりケーブル接続されたプラグ（以下、主子機プラグという。）５０ｂを挿着することができる。さらに、主子機１ａ、１ｂ、・・・、２ａ、２ｂ、・・・、・・・よりケーブル接続された主子機コネクタ５０ａとプレート子機２１ａ、２１ｂ、・・・、２２ａ、２２ｂ、・・・、・・・のプレート子機コネクタ７０とは同一構造であることにより、副子機プラグ６０をプレート子機コネクタ７０に挿着させることができる。
【００１６】
図３は、本発明の実施例によるナースコール装置において、病室内のベッド毎に設置される主子機１ａ、１ｂ、・・・、２ａ、２ｂ、・・・、・・・の具体的な構成を示すブロック図である。
【００１７】
図３のブロック図において、主子機１ａ、１ｂ、・・・、２ａ、２ｂ、・・・、・・・はそれぞれ同様な構成であり、主子機コネクタ５０ａがケーブル接続されたインターフェース（以下、コネクタ側Ｉ／Ｆという。）８０と、主子機プラグ５０ｂがケーブル接続されたインターフェース（以下、プラグ側Ｉ／Ｆという。）８１と、ベッド毎の患者がナースステーション内に居る看護師を呼び出すために操作する呼出ボタン８２と、呼出ボタン８２の操作、または主子機コネクタ５０ａに副子機１１ａ、１１ｂ、・・・、１２ａ、１２ｂ、・・・、・・・の本体よりケーブル接続された副子機プラグ６０が挿着された場合における当該副子機からの呼び出しにより動作し、その旨の呼出信号を出力するための呼出回路８３と、当該主子機、または副子機１１ａ、１１ｂ、・・・、１２ａ、１２ｂ、・・・、・・・にて呼出操作／呼出動作を行ったベッド毎の患者が、呼出相手先の看護師との間で通話を成立させるための音声を送受信するマイク８４およびスピーカ８５とが備えられている。
【００１８】
なお、主子機１ａ、１ｂ、・・・、２ａ、２ｂ、・・・、・・・の構成各部／回路のうち、呼出ボタン８２、マイク８４およびスピーカ８５については、図２の構成図に示される。
【００１９】
このように構成された本発明の実施例によるナースコール装置において、以下、具体的な動作について説明する。
【００２０】
本発明の実施例によるナースコール装置の第１の動作として、図２の構成図に示すプレート子機２１ａ、２１ｂ、・・・、２２ａ、２２ｂ、・・・、・・・のプレート子機コネクタ７０に主子機１ａ、１ｂ、・・・、２ａ、２ｂ、・・・、・・・よりケーブル接続された主子機プラグ５０ｂが挿着されている、一方、主子機１ａ、１ｂ、・・・、２ａ、２ｂ、・・・、・・・よりケーブル接続された主子機コネクタ５０ａに副子機１１ａ、１１ｂ、・・・、１２ａ、１２ｂ、・・・、・・・の本体よりケーブル接続された副子機プラグ６０が挿着されていない場合において、ベッド毎の患者、ここでは、１０１号室内でベッド番号が「１」のベッドの患者が、ナースステーション内に居る看護師を呼び出すためには、同図および図３のブロック図に示す主子機１ａの呼出ボタン８２を操作する。
【００２１】
図３のブロック図において、患者による呼出ボタン８２の操作（呼出操作）を検出した主子機１ａの呼出回路８３は、その旨の呼出信号Ｓ１を出力する。この呼出信号Ｓ１は、プラグ側Ｉ／Ｆ８１、プラグ側Ｉ／Ｆ８１にケーブル接続された主子機プラグ５０ｂを介して主子機プラグ５０ｂが挿着された図１の全体構成図および図２の構成図に示すプレート子機２１ａのプレート子機コネクタ７０、に伝送される。
【００２２】
図１の全体構成図および図２の構成図に示すプレート子機２１ａは、プレート子機コネクタ７０に入力された呼出信号Ｓ１を出力する。この呼出信号Ｓ１は、プレート子機接続ラインＬ１ａを介して廊下灯３１に伝送される。
【００２３】
図１の全体構成図において、プレート子機２１ａからの呼出信号Ｓ１が入力された廊下灯３１は、呼出信号Ｓ１の伝送経路であるプレート子機接続ラインＬ１ａに予め割り当てられているベッド番号「１」に該当するベッドの患者から呼び出しがある旨を１０１号室の出入口近傍に居る人物、例えば、巡回中の看護師に対して呼出報知させるため、表示灯（図示せず）を点滅／点灯して呼出表示を行うとともに、呼出信号Ｓ１に病室番号「１０１」およびベッド番号「１」を付加させた呼出信号Ｓ１ａを出力する。この呼出信号Ｓ１ａは、廊下灯接続ラインＬ１０、制御機４１、親機接続ラインＬ１１を介してナースコール親機４０に伝送される。
【００２４】
図１の全体構成図において、廊下灯３１からの呼出信号Ｓ１ａが入力されたナースコール親機４０は、呼出信号Ｓ１ａに含まれている病室番号「１」およびベッド番号「１」に該当するベッドの患者から呼び出しがある旨をナースステーション内に居る看護師に対して呼出報知させるため、該当する表示灯（図示せず）を点滅／点灯して呼出表示を行うとともに、呼出音を鳴動して呼出発報を行う。また、上述の呼出報知（呼出表示／発報）を確認した看護師が、ナースコール親機４０にて適宜、呼出応答、例えば、ハンドセットを取り上げると、このハンドセットと、親機接続ラインＬ１１、制御機４１、廊下灯接続ラインＬ１０、廊下灯３１、プレート子機接続ラインＬ１ａ、プレート子機２１ａおよび当該プレート子機のプレート子機コネクタ７０に挿着された主子機１ａの主子機プラグ５０ｂ、主子機プラグ５０ｂにケーブル接続された図２の構成図および図３のブロック図に示す主子機１ａのプラグ側Ｉ／Ｆ８１を介して呼出元の患者が使用するマイク８４およびスピーカ８５との間の通話路（以下、第１の通話路という。）が形成されるばかりでなく、ナースコール親機４０のハンドセットと、親機接続ラインＬ１１、制御機４１、廊下灯接続ラインＬ１０、廊下灯３１、プレート子機接続ラインＬ１ａを介してプレート子機２１ａの通話機能（詳述せず）との間の通話路（以下、第２の通話路という。）が形成され、形成された第１、第２の通話路の何れか一方の通話路を介して音声信号を送受信させることにより通話が成立する。
【００２５】
次に、本発明の実施例によるナースコール装置の第２の動作として、図２の構成図に示すプレート子機２１ａ、２１ｂ、・・・、２２ａ、２２ｂ、・・・、・・・のプレート子機コネクタ７０に主子機１ａ、１ｂ、・・・、２ａ、２ｂ、・・・、・・・よりケーブル接続された主子機プラグ５０ｂが挿着されているとともに、主子機１ａ、１ｂ、・・・、２ａ、２ｂ、・・・、・・・よりケーブル接続された主子機コネクタ５０ａに副子機１１ａ、１１ｂ、・・・、１２ａ、１２ｂ、・・・、・・・の本体よりケーブル接続された副子機プラグ６０が挿着されている場合において、ベッド毎の患者、ここでは、上述の第１の動作と同様、１０１号室内でベッド番号が「１」のベッドの患者が、ナースステーション内に居る看護師を呼び出すためには、同図および図３のブロック図に示す主子機１ａの呼出ボタン８２を操作する、または副子機１１ａを利用して音声の入力による呼び出し、息を吹きかけることによる呼び出し、接触による呼び出し等の呼出動作を行う。
【００２６】
なお、本発明の実施例によるナースコール装置の第２の動作において、図２の構成図および図３のブロック図に示す主子機１ａの呼出ボタン８２の操作による呼出時の動作は、上述の第１の動作と同様であることにより説明は省略する。
【００２７】
図２の構成図において、患者による上述の呼出動作を検出した副子機１１ａの本体は、その旨の呼出起動信号Ｓ１１を出力する。この呼出起動信号Ｓ１１は、当該本体よりケーブル接続された副子機プラグ６０、副子機プラグ６０が挿着された主子機１ａの主子機コネクタ５０ａ、主子機コネクタ５０ａがケーブル接続された図３のブロック図に示す主子機１ａのコネクタ側Ｉ／Ｆ８０を介して呼出回路８３に伝送される。
【００２８】
図３のブロック図において、副子機１１ａからの呼出起動信号Ｓ１１が入力された主子機１ａの呼出回路８３は、患者による副子機１１ａを利用した上述の呼出動作を検出し、その旨の呼出信号Ｓ１１ａを出力する。この呼出信号Ｓ１１ａは、上述の呼出信号Ｓ１と同様な経路を介して図１の全体構成図および図２の構成図に示すプレート子機２１ａのプレート子機コネクタ７０に伝送される。
【００２９】
図１の全体構成図および図２の構成図に示すプレート子機２１ａは、プレート子機コネクタ７０に入力された呼出信号Ｓ１１ａを出力する。この呼出信号Ｓ１１ａは、プレート子機接続ラインＬ１ａを介して廊下灯３１に伝送される。
【００３０】
図１の全体構成図において、プレート子機２１ａからの呼出信号Ｓ１１ａが入力された廊下灯３１は、呼出信号Ｓ１１ａの伝送経路であるプレート子機接続ラインＬ１ａに予め割り当てられているベッド番号「１」に該当するベッドの患者から呼び出しがある旨を１０１号室の出入口近傍に居る人物、例えば、巡回中の看護師に対して呼出報知させるため、表示灯（図示せず）を点滅／点灯して呼出表示を行うとともに、呼出信号Ｓ１１ａに病室番号「１０１」およびベッド番号「１」を付加させた呼出信号Ｓ１１ｂを出力する。この呼出信号Ｓ１１ｂは、上述の呼出信号Ｓ１ａと同様な経路を介してナースコール親機４０に伝送される。
【００３１】
図１の全体構成図において、廊下灯３１からの呼出信号Ｓ１１ｂが入力されたナースコール親機４０は、呼出信号Ｓ１１ｂに含まれている病室番号「１０１」およびベッド番号「１」に該当するベッドの患者から呼び出しがある旨をナースステーション内に居る看護師に対して呼出報知させるため、該当する表示灯（図示せず）を点滅／点灯して呼出表示を行うとともに、呼出音を鳴動して呼出発報を行う。また、上述の呼出報知（呼出表示／発報）を確認した看護師が、ナースコール親機４０にて適宜、呼出応答、例えば、ハンドセットを取り上げると、上述の第１の動作と同様、第１、第２の各通話路が形成され、形成された第１、第２の各通話路の何れか一方の通話路を介して音声信号を送受信させることにより通話が成立する。
【００３２】
なお、本発明の実施例によるナースコール装置において、第１、第２の各動作では、図１の全体構成図および図２の構成図に示すプレート子機２１ａ、２１ｂ、・・・、２２ａ、２２ｂ、・・・、・・・のプレート子機コネクタ７０に主子機１ａ、１ｂ、・・・、２ａ、２ｂ、・・・、・・・よりケーブル接続された主子機プラグ５０ｂを挿着させた状態で、主子機１ａ、１ｂ、・・・、２ａ、２ｂ、・・・、・・・よりケーブル接続された主子機コネクタ５０ａに副子機１１ａ、１１ｂ、・・・、１２ａ、１２ｂ、・・・、・・・の本体よりケーブル接続された副子機プラグ６０を挿着、または非挿着とし、ベッド毎の患者からの呼び出しを主子機１ａ、１ｂ、・・・、２ａ、２ｂ、・・・、・・・の呼出ボタン８２（図３のブロック図）の操作、または副子機１１ａ、１１ｂ、・・・、１２ａ、１２ｂ、・・・での上述の呼出動作により可能としたが、プレート子機コネクタ７０と主子機コネクタ５０ａとが同一構造であることから、このプレート子機コネクタ７０に副子機プラグ６０を挿着させることにより、主子機１ａ、１ｂ、・・・、２ａ、２ｂ、・・・、・・・を必要とせずにナースコール親機４０にて呼出報知（呼出表示／発報）を行うことができ、これを確認して呼出応答したナースステーション内に居る看護師と呼出元の患者との間で成立される通話のための通話路は、第２の通話路が適用される。
【００３３】
また、本発明の実施例によるナースコール装置において、図１の全体構成図に示すプレート子機２１ａ、２１ｂ、・・・、２２ａ、２２ｂ、・・・、・・・には、通常、ベッド毎の患者が上述の看護師を手動で呼び出すための機能が備えられており、この呼出機能を能動として呼出操作を行うと、ナースステーション内に居る看護師を呼び出して通話を成立させることもできる。
【００３４】
【発明の効果】
以上の説明から明らかなように、本発明のナースコール装置によれば、病室内のベッド毎に設置され、ベッド毎の患者による呼び出し、通話が可能な主子機のコネクタと、ベッド毎の患者の音声、息、接触等による呼び出しが可能な副子機とを接続することにより、主子機または副子機からの呼び出しがナースコール親機にて報知され、通話用の子機を別途必要とせずに、主子機とナースコール親機との間で通話を成立させることができる。
【００３５】
また、通常、病室内のベッド毎の壁面に設置されるプレート子機のコネクタと主子機のコネクタとが同一構造であることにより、副子機からナースコール親機への呼び出しを、主子機を必要とせずにプレート子機を介して行うことができる。
【図面の簡単な説明】
【図１】本発明の実施例によるナースコール装置を示す全体構成図である。
【図２】本発明の実施例によるナースコール装置において、病室内のベッド毎に設置される機器の接続状態を示す構成図である。
【図３】本発明の実施例によるナースコール装置において、主子機の具体的な構成を示すブロック図である。
【図４】従来のナースコール装置として、病室内のベッド毎に設置される機器の接続状態を示す構成図である。
【符号の説明】
１ａ、１ｂ、・・・、２ａ、２ｂ、・・・、・・・　・・・・・主子機
１１ａ、１１ｂ、・・・、１２ａ、１２ｂ、・・・、・・・　・・・・・副子機
２１ａ、２１ｂ、・・・、２２ａ、２２ｂ、・・・、・・・　・・・・・プレート子機
４０・・・・・ナースコール親機
４１・・・・・制御機
５０ａ・・・・・（主子機の）コネクタ
７０・・・・・（プレート子機の）コネクタ
８３・・・・・呼出回路
【図１】
2004112017.tif 000003
【図２】
2004112017.tif 000004
【図３】
2004112017.tif 000005
【図４】
2004112017.tif 000006